(57)【特許請求の範囲】
【請求項１】
芯テープの表面を合成樹脂により被覆したテープ状体を縦糸及び横糸とし、これら縦糸及び横糸を所定間隔をあけて互いに交差させ、それぞれの交点部分を固着した柵用ネット部材において、ネット部材の最上部及び最下部に位置する横糸のみを、芯テープとして鋼帯を用いたテープ状体で以て構成したことを特徴とする柵用ネット部材。
【請求項２】
芯テープの表面を被覆する合成樹脂に誘電率の高い熱可塑性樹脂を用いるとともに、芯テープとして鋼帯を用いたテープ状体以外のテープ状体の芯テープとして一軸延伸したポリプロピレン又は超高分子ポリエチレンを用いたテープ状体で以て構成したことを特徴とする請求項１記載の柵用ネット部材。
【発明の詳細な説明】
【０００１】
【発明の属する技術分野】
本発明は、柵用ネット部材に関し、特に、牧場、農場、スポーツ施設等（以下、「牧場等」という。）の広い土地の周囲を囲い込むために用いるのに好適な柵用ネット部材に関するものである。
【０００２】
【従来の技術】
牧場等においては、家畜の逃走や、鹿、兎等の野生動物の侵入等を防止するために、柵によって土地の周囲を囲い込むようにしている。
ところで、従来、この種の柵には、木製の柵や鉄条網が多用されていたが、これらの柵は、家畜の逃走や、野生動物の侵入を確実に防止することができず、また、耐久性の点においても問題があった。
【０００３】
このため、近年、合成樹脂製のネット部材を用いた柵が実用化されてきており、本件出願人も、一軸延伸したポリプロピレン又は超高分子ポリエチレン等からなる芯テープの表面にエチレンー酢酸ビニル共重合体等の誘電率の高い熱可塑性樹脂を被覆したテープ状体を縦糸及び横糸とし、これら縦糸及び横糸を所定間隔をあけて互いに交差させ、それぞれの交点部分を高周波溶着することにより固着したネット部材を支柱に固定した柵を提案した。
【０００４】
【発明が解決しようとする課題】
ところで、このテープ状体を縦糸及び横糸としたネット部材自体は、引張強度が大きく、目崩れしにくい上に、適度の柔軟性を有し、取扱いが容易である等の優れた点を有しているが、このネット部材を所定の間隔をあけて設置した支柱に固定した場合、その中間位置で垂れ下がりやすく、固着した交点部分に大きな負荷がかかって、目崩れが生じる問題点があった。
このため、このネット部材を支柱に固定するに当たっては、支柱の間隔を狭く設定したり、支柱の上部に別途ワイヤーロープを張設し、このワイヤーロープにネット部材を吊り下げるようにする必要があり、柵の構築に手数を要するとともに、コストが上昇するという問題点があった。
【０００５】
本発明は、上記支柱に固定して柵として用いるテープ状体を縦糸及び横糸としたネット部材の有する問題点を解決し、支柱に固定した場合でも垂れ下がりが少なく、目崩れしにくく、かつ、取扱いが容易で柵の構築に手数を要することのない柵用ネット部材を提供することを目的とする。
【０００６】
【課題を解決するための手段】
上記目的を達成するため、本発明の柵用ネット部材は、芯テープの表面を合成樹脂により被覆したテープ状体を縦糸及び横糸とし、これら縦糸及び横糸を所定間隔をあけて互いに交差させ、それぞれの交点部分を固着した柵用ネット部材において、ネット部材の最上部及び最下部に位置する横糸のみを、芯テープとして鋼帯を用いたテープ状体で以て構成したことを特徴とする。
【０００７】
ネット部材の最上部及び最下部に位置する横糸を、張力をかけても伸びることがなく、かつ、ネット部材に適度の剛性を付与することができる、芯テープとして鋼帯を用いたテープ状体で以て構成することにより、ネット部材を所定の間隔をあけて設置した支柱に固定した場合にも、垂れ下がりが少なく、固着した交点部分に大きな負荷がかかることがないため、目崩れが生じるおそれをなくすことができる。
また、このネット部材は、全体が一体化されているため取扱いが容易で、ネット部材の最上部及び最下部に位置する芯テープとして鋼帯を用いたテープ状体からなる横糸を、セルフタッピングビス、クランプ部材のほか、あらかじめ横糸に穿設した透孔を通してねじ又は釘等を用いて、金属製又は木製の支柱に直接固定することができることと相俟って、柵の構築を簡易に行うことができ、また、美観上も優れたものとなる。
【０００８】
また、芯テープの表面を被覆する合成樹脂に誘電率の高い熱可塑性樹脂を用いるとともに、芯テープとして鋼帯を用いたテープ状体以外のテープ状体の芯テープとして一軸延伸したポリプロピレン又は超高分子ポリエチレンを用いたテープ状体で以て構成することができる。
【０００９】
これにより、縦糸及び横糸の交点部分を高周波電界により誘電加熱して固着することができるとともに、ポリプロピレン又は超高分子ポリエチレンからなる芯テープは、誘電加熱されにくく熱によって劣化することがない。
【００１０】
【発明の実施の形態】
以下、本発明の柵用ネット部材の実施の形態を図面に基づいて説明する。
図１〜図３は、本発明の柵用ネット部材の一実施例を示す。
この柵用ネット部材１は、芯テープの表面を合成樹脂により被覆したテープ状体を縦糸１１及び横糸１２とし、これら縦糸１１及び横糸１２を所定間隔をあけて互いに交差させ、それぞれの交点部分１３を固着して構成する。
【００１１】
この場合において、柵用ネット部材１の縦糸１１及び横糸１２の交点部分１３を固着する方法としては、高周波を用いた自己発熱による溶着、外部からの加熱による溶着、各種接着剤による接着等を用いることができるが、このうち特に、高周波を用いた自己発熱により溶着する方法が、作業性等の点で好ましい。
また、柵用ネット部材１の縦糸１１及び横糸１２の格子の大きさは、逃走又は侵入を防止する対象の家畜や野生動物の大きさに応じて任意に設定することができ、格子の形状も、図１に示すように、長方形のほか、正方形にすることができ、また、柵用ネット部材１の高さ方向で、例えば、上下部の目幅が狭く、中間部の目幅が広くなるように、目幅を変えることもできる。
【００１２】
柵用ネット部材１の縦糸１１及び横糸１２を構成するテープ状体には、２種類のテープ状体を選択的に用いるようにする。
【００１３】
このうち、１種類のテープ状体４は、図２（ａ）に示すように、芯テープ６に、ポリプロピレン、超高分子ポリエチレン等の大きい引張強度を有する合成樹脂製のテープ状体を用いて構成する。
このテープ状体には、特に限定的なものではないが、延伸倍率が５〜２０倍で、厚さが０．０５〜２．０ｍｍ、幅が５〜３０ｍｍ程度の延伸したポリプロピレン又は超高分子ポリエチレンからなるテープ状体、特に、一軸延伸したテープ状体を用いるようにする。
また、この芯テープ６には、上記のテープ状体を複数本重ねたものを使用することもでき、これにより、引張強度を維持しながら、剛性を低減することができ、巻回性がよく、取り扱い易い柵用ネット部材を得ることができる。
【００１４】
そして、もう１種類のテープ状体５は、図２（ｂ）に示すように、芯テープ７に、鋼帯を用いて構成する。
この鋼帯には、特に限定的なものではないが、このテープ状体５を縦糸１１及び横糸１２に用いて製作した柵用ネット部材１を巻き取って輸送し、施工時に広げることができるように、通常、厚さが０．２〜２．０ｍｍ、巾３〜３０ｍｍ程度の鋼帯を用いるようにする。
また、この芯テープ７には、上記の鋼帯を複数本重ねたものを使用することもでき、これにより、引張強度を維持しながら、剛性を低減することができ、巻回性がよく、取り扱い易い柵用ネット部材を得ることができる。
【００１５】
また、テープ状体４の芯テープ６及びテープ状体５の芯テープ７の表面を被覆する合成樹脂８には、誘電率の高いエチレンー酢酸ビニル共重合体又は塩化ビニル樹脂、特に、高周波溶着性の良好な酢酸ビニル含有量が５〜３５重量％のエチレンー酢酸ビニル共重合体を用いることが望ましい。
なお、合成樹脂８は、図２（ａ）、（ｂ）に示すように、芯テープ６及び芯テープ７の周囲を被覆するほか、芯テープ６及び芯テープ７の上下面のみを被覆するように構成することもできる。
【００１６】
これにより、縦糸１１と横糸１２の交点部分１３に高周波電界を印加することにより、表面を被覆する合成樹脂８に分子歪みと分子摩擦を起こさせて急速に誘電加熱し、縦糸１１と横糸１２の交点部分１３を強固に溶着することができる。
なお、このとき、テープ状体４の芯テープ６として誘電率が低く誘電加熱されにくいポリプロピレン又は超高分子量ポリエチレンを用いることにより、芯テープ６が熱によって劣化することを防止することができる。
【００１７】
ところで、本実施例の柵用ネット部材１においては、ネット部材１の最上部に位置する横糸１２ａを、芯テープ７として鋼帯を用いたテープ状体５で以て構成し、さらに、ネット部材１の最下部に位置する横糸１２ｂを、芯テープ７として鋼帯を用いたテープ状体５で以て構成し、その他の縦糸１１及び横糸１２は、芯テープ６として合成樹脂製のテープ状体を用いたテープ状体４で以て構成するようにする。
【００１８】
そして、この柵用ネット部材１は、図３に示すように、地盤３に所定の間隔（縦糸１１ａの位置に支柱２を設置するようにする。）をあけて設置した金属製又は木製の支柱２に、芯テープ７として鋼帯を用いたテープ状体５の位置で、セルフタッピングビス、クランプ部材のほか、あらかじめ横糸１２ａ，１２ｂ及び縦糸１１ａに穿設した透孔を通してねじ又は釘等の任意の固定具を用いて、固定するようにする。
【００１９】
【発明の効果】
本発明の柵用ネット部材によれば、ネット部材の最上部及び最下部に位置する横糸を、張力をかけても伸びることがなく、かつ、ネット部材に適度の剛性を付与することができる、芯テープとして鋼帯を用いたテープ状体で以て構成することにより、ネット部材を所定の間隔をあけて設置した支柱に固定した場合にも、垂れ下がりが少なく、固着した交点部分に大きな負荷がかかることがないため、目崩れが生じるおそれをなくすことができ、耐久性を向上することができる。
また、このネット部材は、全体が一体化されているため取扱いが容易で、ネット部材の最上部及び最下部に位置する芯テープとして鋼帯を用いたテープ状体からなる横糸を、セルフタッピングビス、クランプ部材のほか、あらかじめ横糸に穿設した透孔を通してねじ又は釘等を用いて、金属製又は木製の支柱に直接固定することができることと相俟って、柵の構築を簡易に行うことができ、柵の構築コストを低廉にできるとともに、また、美観上も優れたものとすることができる。
【００２０】
また、芯テープの表面を被覆する合成樹脂に誘電率の高い熱可塑性樹脂を用いるとともに、芯テープとして鋼帯を用いたテープ状体以外のテープ状体の芯テープとして一軸延伸したポリプロピレン又は超高分子ポリエチレンを用いたテープ状体で以て構成することにより、縦糸及び横糸の交点部分を高周波電界により誘電加熱して固着することができ、ネット部材の製造コストを低廉にできるとともに、ポリプロピレン又は超高分子ポリエチレンからなる芯テープは、誘電加熱されにくく熱によって劣化することがなく、強度の大きいネット部材を得ることができる。
【図面の簡単な説明】
【図１】  本発明の柵用ネット部材の一実施例を示す外観斜視図である。
【図２】  本発明の柵用ネット部材の縦糸及び横糸を構成する２種類のテープ状体を示す断面図である。
【図３】  本発明の柵用ネット部材を適用した柵を示す正面図である。
【符号の説明】
１      柵用ネット部材
１１    縦糸
１１ａ  支柱位置の縦糸
１２    横糸
１２ａ  最上部の横糸
１２ｂ  最下部の横糸
１３    交点部分
２      支柱
３      地盤
４      テープ状体
５      テープ状体
６      芯テープ（合成樹脂製のテープ状体）
７      芯テープ（鋼帯）
８      合成樹脂
【図１】
0003775879.tif 000002
【図２】
0003775879.tif 000003
【図３】
0003775879.tif 000004